【事件の表示】
　特願２００７−２２０７５３「表示装置」拒絶査定不服審判事件〔平成２１年　３月１２日出願公開、特開２００９−　５３４８８〕について、次のとおり審決する。
【結　論】
　本件審判の請求は、成り立たない。
【理　由】
１　手続の経緯
　
　本願は、平成１９年８月２８日の出願であって、平成２３年１２月２７日付けで手続補正がなされたところ、平成２４年９月２７日付けで拒絶査定がなされ、これに対し、平成２４年１２月２７日に拒絶査定不服審判請求がなされると同時に手続補正がなされたものである。
　
２　本願発明
　
　本願の請求項に係る発明は、平成２４年１２月２７日になされた手続補正後の特許請求の範囲の請求項１、２に記載された事項により特定されるものであるところ、その請求項１に係る発明は次のとおりのものである。
　
　「光源と、光源から出射される光を拡散して輝度むらを緩和する拡散素子と、画像を生成するとともに生成された画像が拡散素子から出射される光により照明される表示素子とをこの順に備える表示装置であって、拡散素子の拡散作用を変更する拡散作用変更手段と、観察者の眼に表示画像を導くための光学系とを備え、前記拡散作用変更手段により、高輝度表示時には拡散素子の拡散作用を小さくし、低輝度表示時には拡散素子の拡散作用を大きくすることにより、表示画像の輝度及び輝度むらを同時に変更して、表示素子から出射される表示画像を、虚像として観察者が視認できるようにしたことを特徴とする表示装置。」（以下「本願発明」という。）
　
３　引用刊行物記載の発明
　
（１）原査定の拒絶の理由に引用された、本願出願前に頒布された刊行物である特開２００４−９３７６９号公報（以下「引用刊行物」という。）には、以下の記載がある（下線は、当審による。以下同じ。）。
　
ア　「【０００１】
【発明の属する技術分野】
本発明は、映像板の透過光束を観察者の網膜に直接投影する眼球投射型画像表示装置に関する。
　
イ　「【００２０】
【発明の実施の形態】
　以下、添付図面を参照して本発明の複数の実施の形態を説明する。なお、以下に説明する複数の実施の形態を表示した複数の図面において同一又は対応する部材又は部分に同一の符号が付してある。また、発明の理解を容易にするために、以下の説明では適宜方向を表す用語（例えば、「上」、「下」、「右」、「左」及びそれらを含む用語）を用いるが、特許請求の範囲に記載の発明はそれらの用語の持つ意味によって限定的に解釈されるものでない。　　
　　　【００２１】
実施の形態１：
　図１（ａ）、（ｂ）に示すように、本発明に係る眼球投射型画像表示装置１は、人（画像観察者２）がその頭部に着脱自在に装着して画像（動画又は静止画）を観察するもので、観察者２の眼球に画像を投射する光学部３と、この光学部３を眼前に安定的に支持するために観察者２の頭部に保持されるフレーム４と、光学部３に映像信号を送信する映像信号送信部５から構成されており、映像信号送信部５はフレーム４に内蔵されている。しかし、フレーム４の構成、映像信号送信部５の配置などは単なる一例であって、本発明が図示する構成に限定されるものでない。　　
　　　【００２２】
　本発明の最も特徴とする光学部３の構成が図２に示されている。図示するように、光学部３の筐体６（図１参照）には、
観察者２の右側又は左側の眼球７に向かって、光源８、散乱体９、透過型映像板１０、接眼レンズ１１が組み込まれている。
　　　【００２３】
　光源８には種々の発光装置を用いることができるが、本実施の形態では発光ダイオード（ＬＥＤ）が利用されている。発光ダイオードとしては、白色発光ダイオード、紫外光或は青色光を発するダイオードが使用できる。なお、光源８は、ある限られた領域から発光するものであればよい。
　散乱体９は、この散乱体９に入射した光を散乱させる材料で構成されており、観察者２が画像表示装置１を装着した状態で体軸と平行な方向（垂直方向）の辺長さ、体軸と直交する方向（水平方向）の辺の長さが異なる長方形を有する。例えば、散乱体９は、透光性材料（例えば、透過ガラス又は透過プラスチック）に光を散乱させる微粒子（例えば金属粉）を混入させるか、透明材料からなる板の表面に凹凸を付けて作ることができる。表面の凹凸は、板を成形する金型の対応する面に凹凸を付けておくことにより、または成形又は加工された板の表面をブラスト処理して付けることができる。その他、散乱体９として、紙、すりガラス板を利用することもできる。また、光源８として紫外光或は青色光を発するダイオードを使用する場合、光源からの光を白色に変換する蛍光物質を散乱体９に含めるのが好ましい。
　
透過型映像板１０は
該映像信号送信部５から出力される映像信号に基づいて画像を表示するようにしてある。
　　　【００２４】
　以上の構成を供えた表示装置によれば、
光源８から出射した光は散乱体９に投射される。散乱体９は点光源８から受けた光を散乱し、映像板１０に投射する。
この映像は、散乱体９から送られた光によって接眼レンズ１１に投射され、観察者２の瞳孔１２を通過し、水晶体１３によって網膜１４に投射される。」
　
ウ　「【００３８】
実施の形態５：
　図７は、実施の形態５に係る画像表示装置１の光学部３を示す。この光学部３では、
散乱体９として、散乱度を調整可能な可変散乱板１０６が使用されている。また、可変散乱板１０６は、観察者２が操作可能な散乱度調整装置１０７に接続されている。
　　　【００３９】
　このような構成を備えた画像表示装置１によれば、
散乱度調整装置１０７から供給されるエネルギ又は信号に基づいて可変散乱体１０６の散乱度が調整される。
　　　【００４０】
　一方、散乱度可変散乱体１０６の散乱度を大きくすると、散乱度可変散乱体１０６と映像板１０との距離で、網膜１４に投影される映像板１０の１点の像を構成する光束の広がり角θ２が決まる。散乱度可変散乱体１０６と映像板１
離が小さいとθ２が大きくなり、接眼レンズ１１で光束が収束されず、接眼レンズ１１と瞳孔１２の位置を正確に調整する必要がない。しかし、映像板１０と接眼レンズ１１の間隔、水晶体１３と網膜１４の間隔を正確に調整する必要がある。そのため、普段眼鏡をかけている人は、映像を鮮明に観察するために、眼鏡を装着するか、映像板１０と接眼レンズ１１の間隔を調整する必要がある。また、画像表示装置１を装着していない方の眼で景色を見ながら、画像表示装置１を装着した方の眼で映像を見たとき、これら景色と映像を重ねることができない。　　
　　　【００４１】
　従って、
観察者は、散乱度調整装置１０７で、散乱度可変散乱体１０６の散乱度を調整することにより、映像の見え方および見易さを自由に調節できる。
　
エ　図１ないし３及び図７は次のものである。
　
　
　
　
　
　
（２）上記（１）によれば、引用刊行物には、
　
　「観察者の眼球に向かって、光源、可変散乱体、透過型映像板、接眼レンズが組み込まれ、可変散乱体は光源から受けた光を散乱し、透過型映像板は、映像信号に基づいて映像が表示され、この映像は可変散乱体から送られた光によって接眼レンズに投射され、可変散乱体は散乱度調整装置に接続されており、散乱度調整装置で、可変散乱体の散乱度を調整することにより、映像の見え方および見易さを自由に調節できる眼球投射型画像表示装置。」
　
の発明（以下「引用刊行物記載の発明」という。）が記載されていると認められる。
　
４　対比・判断
　
　本願発明と引用刊行物記載の発明とを対比する。
　
（１）引用刊行物記載の発明の「光源」、「映像信号に基づいて映像が表示され、この映像は可変散乱体から送られた光によって接眼レンズに投射される透過型映像板」及び「接眼レンズ」は、本願発明の「光源」、「画像を生成するとともに生成された画像が拡散素子から出射される光により照明される表示素子」及び「観察者の目に表示画像を導くための光学系」にそれぞれ相当する。引用刊行物記載の発明の可変散乱体の散乱度を調整する「散乱度調整装置」は、本願発明の「拡散素子の拡散作用を変更する拡散作用変更手段」に相当する。
　
（２）ア　本願明細書には、以下の記載がある。
　
「　【００１４】
図１(A)の
高輝度表示時において
拡散素子２ａの拡散度を低くしてあるため前方への出射光の強度が高く
表示画像は高輝度となる
この場合、
輝度むらは大きくなる。
　　【００１５】
図１(B)の
低輝度表示時では、
拡散度の高い拡散素子２ｂが使用されるため、
輝度むらが小さくなる。
　
イ　上記によれば、本願発明の「光源から出射される光を拡散して輝度むらを緩和する」及び「高輝度表示時には拡散素子の拡散作用を小さくし、低輝度表示時には拡散素子の拡散作用を大きくすることにより、表示画像の輝度及び輝度むらを同時に変更」することは、拡散素子の拡散度の高低を変更するという構成に伴って生じる作用をいうものと認められる。
　
ウ　他方、引用刊行物記載の発明の「可変散乱体」は、「散乱度調整装置」で散乱度の大小を調整するものであるから、引用刊行物記載の発明の「可変散乱体」は、本願発明の「光源から出射される光を拡散して輝度むらを緩和する拡散素子」に相当し、引用刊行物記載の発明は、本願発明の「高輝度表示時には拡散素子の拡散作用を小さくし、低輝度表示時には拡散素子の拡散作用を大きくすることにより、表示画像の輝度及び輝度むらを同時に変更」するとの構成を備える。
　
エ　請求人は、回答書において、引用刊行物には、「輝度に応じて拡散素子の拡散作用を増減することにより、低輝度表示時の輝度ムラを改善する」という技術的特徴の開示がない旨主張するが、上記アないしウのとおりであって、採用できない。
　
（３）引用刊行物記載の発明の「観察者の眼球に向かって、光源、可変散乱体、透過型映像板、接眼レンズが組み込まれ」は、光源、可変散乱体、透過型映像板、接眼レンズをこの順に備えることを意味するから、上記（１）及び（２）の検討も踏まえると、引用刊行物記載の発明の「観察者の眼球に向かって、光源、可変散乱体、透過型映像板、接眼レンズが組み込まれ」との構成は、本願発明の「光源と、光源から出射される光を拡散して輝度むらを緩和する拡散素子と、画像を生成するとともに生成された画像が拡散素子から出射される光により照明される表示素子とをこの順に備える」との構成に相当する。
　
（４）引用刊行物記載の発明の「眼球投射型画像表示装置」は、透過型映像板の透過光束を観察者の網膜に直接投影するもので、観察者が虚像を視認することは明らかであるから、引用刊行物記載の発明は、本願発明の「表示素子から出射される表示画像を、虚像として観察者が視認できるようにした表示装置」との構成を備える。
　
　以上によれば、両者は、
　
　「光源と、光源から出射される光を拡散して輝度むらを緩和する拡散素子と、画像を生成するとともに生成された画像が拡散素子から出射される光により照明される表示素子とをこの順に備える表示装置であって、拡散素子の拡散作用を変更する拡散作用変更手段と、観察者の眼に表示画像を導くための光学系とを備え、前記拡散作用変更手段により、高輝度表示時には拡散素子の拡散作用を小さくし、低輝度表示時には拡散素子の拡散作用を大きくすることにより、表示画像の輝度及び輝度むらを同時に変更して、表示素子から出射される表示画像を、虚像として観察者が視認できるようにした表示装置。」
　
で一致し、相違するところは認められない。
　
　よって、本願発明は、引用刊行物に記載された発明である。
　
５　むすび 
　
　以上のとおり、本願発明は、引用刊行物に記載された発明であるから、特許法第２９条第１項第３号に該当し、特許を受けることができない。
　
　よって、結論のとおり審決する。